(57)【要約】【課題】ユーザー側では被検レンズのレンズ度数を測定するだけで容易にかつ精密なレンズの屈折率を算出することが可能なレンズ屈折率の算出方法を提供すること。【解決手段】被検レンズＬをレンズメータの測定基点となるノーズピース９上に配置し、まず空気中における被検レンズＬの第１のレンズ度数を測定する。ついで被検レンズＬの表側及び裏側の密着面１８，２３にそれぞれ同じ材質の透明な第１及び第２のゲル体１６，２１を密着させたものを前記と同様ノーズピース９上に配置し、両ゲル体１６，２１に挟まれた同被検レンズＬの第２のレンズ度数を測定する。このようにして得られたレンズ度数等のデータをインターネットを介してメーカー側のサーバに送信する。サーバでは送信されたそれらデータに基づいてユーザー側と同じ条件を想定して屈折率を算出し、ユーザーに返信する。【選択図】      図６
2008039577.tif 000002
【特許請求の範囲】
【請求項１】
被検レンズのレンズ度数を測定するレンズ度数測定装置を使用したレンズの屈折率算出方法であって、
前記被検レンズを前記レンズ度数測定装置の第１の測定基点に配置し、同レンズ度数測定装置によって空気中における同被検レンズの第１のレンズ度数を測定する第１のレンズ度数測定工程と、
表側及び裏側レンズ面に屈折率が１ではない透明な第１及び第２の透過媒体を密着させた同被検レンズを前記レンズ度数測定装置の第２の測定基点に配置し、同レンズ度数測定装置によって空気中における同両透過媒体に挟まれた同被検レンズの第２のレンズ度数を測定する第２のレンズ度数測定工程とを備えるとともに、
モニター上に表示される所定の入力部に対して前記第１及び第２のレンズ度数の値の入力を実行するレンズ度数入力工程と、
前記入力された値を屈折率算出プログラムに適用することで同被検レンズの屈折率を算出する屈折率算出工程と、
前記屈折率算出工程において算出された屈折率を前記モニター上に表示させる屈折率表示工程とを備えることを特徴とするレンズの屈折率算出方法。
【請求項２】
前記モニター画面には前記レンズメータ毎の固有データを入力するための入力部が表示され、前記屈折率算出工程において同入力部に同レンズメータの固有データを入力することで各レンズメータ毎に設定された前記屈折率算出プログラムの同レンズメータに係るパラメータを選択して前記被検レンズの屈折率を算出することを特徴とする請求項２に記載のレンズの屈折率算出方法。
【請求項３】
前記モニター画面には前記被検レンズの測定条件を入力するための入力部が表示され、前記屈折率算出工程において同入力部の入力条件に応じて設定された前記屈折率算出プログラムの同被検レンズの測定条件に係るパラメータを選択して前記被検レンズの屈折率を算出することを特徴とする請求項１又は２に記載のレンズの屈折率算出方法。
【請求項４】
前記所定の入力部はＷＥＢページ上に公開され、前記第１及び第２のレンズ度数の値は通信回線を通じて同ＷＥＢページ上の入力部に入力されるとともに、前記屈折率算出工程において算出された屈折率は同ＷＥＢページ上に表示されることを特徴とする請求項１〜３のいずれかに記載のレンズの屈折率算出方法。
【請求項５】
前記レンズメータのデータを入力するための入力部はＷＥＢページ上に公開され、同入力部への同レンズメータの固有データは通信回線を通じて同ＷＥＢページ上で入力されることを特徴とする請求項４に記載のレンズの屈折率算出方法。
【請求項６】
前記被検レンズの測定条件を入力するための入力部はＷＥＢページ上に公開され、同入力部への測定条件の入力は通信回線を通じて同ＷＥＢページ上で入力されることを特徴とする請求項４又は５に記載のレンズの屈折率算出方法。
【発明の詳細な説明】
【技術分野】
【０００１】
本発明は眼鏡レンズ等のレンズの屈折率を算出する算出方法に関するものである。
【背景技術】
【０００２】
眼鏡レンズにおける屈折率は高ければそれだけレンズの厚みを低減させることができるため、近視等で度数が進んでいる装用者にとっては屈折率の高いレンズを使用する方が好ましい。一方、レンズは屈折率が高いほど高価格化する傾向にあるため、従来から眼鏡販売店等では屈折率の異なる多数のレンズをストックして顧客の度数や予算にあわせたレンズを提供するようにしている。
ところで、眼鏡販売店ではまったく新規に眼鏡を求める顧客のほかに、顧客が現に装用している眼鏡と同じレンズの眼鏡を要望するケースがままある。その場合に、眼鏡販売店に顧客の過去のデータがあればよいが、データがなければその顧客の眼鏡を借りてどのような屈折率のレンズを使用しているか測定する必要が出てくる。
また、このような「顧客の要望」という理由以外にも、眼鏡販売店において信頼できるメーカー以外から入荷したレンズに対して念のために所定の屈折率が得られているかどうかをチェックしたいという要望もある。測定対象となるレンズを破壊または変形しないで屈折率を測定する装置として、反射式測定器であるエリプソメータがある。エリプソメータは偏光を利用して物体の屈折率などの光学定数を測定する。偏光した光が物質の表面に当ると、反射光はその表面の性質により偏光状態が変わる。この性質を利用して、反射光を分析することにより、反射面の物質の屈折率を求めることができる。
しかしながら、実際に眼鏡販売店でレンズの屈折率を測定することは以下のような理由で困難であった。
１）上記エリプソメータのような反射式測定器は反射光を測定するものであるため、測定対象となる眼鏡レンズに反射防止や曇り防止等の表面コーティングがされている場合には誤差が大きすぎて測定不能となってしまう。
２）反射式測定器は通常の眼鏡販売店には常備しておらず、なおかつ精度の高いものは非常に高価であるため新たに購入するというわけにはいかない。また、簡易な反射式測定器もあるにはあるが上記１）の問題は同様に生じるとともに精度が低いことに加えて測定に熟練が必要とされる。
３）主として上記１）、２）のような理由から眼鏡販売店では実際にはレンズの屈折率を測定することは困難であり、もし上記のように顧客からの要望があった場合には顧客のレンズ度数とレンズの厚み等から屈折率を推測してレンズ選択するしかなかった。
このようなことから出願人は眼鏡販売店でも容易にレンズの屈折率を測定することのできる方法としてレンズメータを利用したレンズの屈折率を測定する方法を提案した（特許文献１）。特許文献１では測定の際に透明な材質のゲルを使用してレンズ度数を測定することで計算から被験レンズの屈折率を算出するという方法である。
【特許文献１】特開２００５−３３１４２７号公報
【発明の開示】
【発明が解決しようとする課題】
【０００３】
しかしながら、特許文献１の屈折率算出方法においては以下のようないくつかの新たな課題が生じていた。
１）特許文献１の技術では測定したレンズ度数に基づいて眼鏡販売店側で実際に屈折率を算出しなければならず、眼鏡販売店では算出作業が不慣れであるため面倒であるという声が挙がっていた。
２）空気中における被検レンズのレンズ度数を測定する場合には直接レンズメータをレンズ面に接近させて測定すればよいわけであるが、それではゲル体を介在した場合と介在しない場合でレンズメータまでの距離に違いが生じてしまうこととなる。そのためレンズのレンズメータに相対する位置が変わる影響をできるだけ相殺する目的で空気中における被検レンズのレンズ度数の測定もガラスプレートを介して行わなくてはならず算出作業だけではなくレンズ度数の測定作業自体も面倒であった。
３）従来では眼鏡販売店の測定や算出の作業労力を軽減するために計算式をそれほど複雑化することができなかった。例えば、レンズメータの機種に応じた固有の機械誤差の補正やゲル体の屈折率、被検レンズのレンズ厚等々のデータをパラメータとして入力できればより精密な屈折率を得ることができるのであるが、実際には比較的容易に計算できる近似的な式を用いらざるを得ず、精密な屈折率の算出が実際上困難であった。
本発明は、このような従来の技術に存在する問題点に着目してなされたものである。その目的とするところは、ユーザー側では被検レンズのレンズ度数を測定するだけで容易にかつ精密なレンズの屈折率を算出することが可能なレンズ屈折率の算出方法を提供することにある。
【課題を解決するための手段】
【０００４】
上記の目的を達成するために請求項１に記載の発明では、被検レンズのレンズ度数を測定するレンズ度数測定装置を使用したレンズの屈折率算出方法であって、前記被検レンズを前記レンズ度数測定装置の第１の測定基点に配置し、同レンズ度数測定装置によって空気中における同被検レンズの第１のレンズ度数を測定する第１のレンズ度数測定工程と、表側及び裏側レンズ面に屈折率が１ではない透明な第１及び第２の透過媒体を密着させた同被検レンズを前記レンズ度数測定装置の第２の測定基点に配置し、同レンズ度数測定装置によって空気中における同両透過媒体に挟まれた同被検レンズの第２のレンズ度数を測定する第２のレンズ度数測定工程とを備えるとともに、モニター上に表示される所定の入力部に対して前記第１及び第２のレンズ度数の値の入力を実行するレンズ度数入力工程と、前記入力された値を屈折率算出プログラムに適用することで同被検レンズの屈折率を算出する屈折率算出工程と、前記屈折率算出工程において算出された屈折率を前記モニター上に表示させる屈折率表示工程とを備えるようにしたことをその要旨とする。
また、請求項２の発明では請求項１に記載の発明の構成に加え、前記モニター画面には前記レンズメータ毎の固有データを入力するための入力部が表示され、前記屈折率算出工程において同入力部に同レンズメータの固有データを入力することで各レンズメータ毎に設定された前記屈折率算出プログラムの同レンズメータに係るパラメータを選択して前記被検レンズの屈折率を算出するようにしたことをその要旨とする。
また、請求項３の発明では請求項１又は２に記載の発明の構成に加え、前記モニター画面には前記被検レンズの測定条件を入力するための入力部が表示され、前記屈折率算出工程において同入力部の入力条件に応じて設定された前記屈折率算出プログラムの同被検レンズの測定条件に係るパラメータを選択して前記被検レンズの屈折率を算出するようにしたことをその要旨とする。
【０００５】
また、請求項４の発明では請求項１〜３のいずれかに記載の発明の構成に加え、前記所定の入力部はＷＥＢページ上に公開され、前記第１及び第２のレンズ度数の値は通信回線を通じて同ＷＥＢページ上の入力部に入力されるとともに、前記屈折率算出工程において算出された屈折率は同ＷＥＢページ上に表示されるようにしたことをその要旨とする。
また、請求項５の発明では請求項４に記載の発明の構成に加え、前記レンズメータのデータを入力するための入力部はＷＥＢページ上に公開され、同入力部への同レンズメータの固有データは通信回線を通じて同ＷＥＢページ上で入力されるようにしたことをその要旨とする。
また、請求項６の発明では請求項４又は５に記載の発明の構成に加え、前記被検レンズの測定条件を入力するための入力部はＷＥＢページ上に公開され、同入力部への測定条件の入力は通信回線を通じて同ＷＥＢページ上で入力されるようにしたことをその要旨とする。
【０００６】
このような構成では、レンズ度数測定装置によってその測定基点に配置された空気中における被検レンズの第１のレンズ度数を測定するとともに、空気中における屈折率が１ではない透明な第１及び第２の透過媒体に挟まれた被検レンズの第２のレンズ度数を測定する。そして、レンズ度数入力工程においてモニター上に表示される所定の入力部に対して前記第１及び第２のレンズ度数の値の入力を実行する。尚、以下において「入力部へ入力する」という場合必ずしも行為者の能動的なものではなく初期値（デフォルト）として設定されている場合も含む概念である。
次いで、屈折率算出工程においてその入力された値を屈折率算出プログラムに適用することで同被検レンズの屈折率を算出する。そして、最後に屈折率表示工程において算出された屈折率をモニター上に具体的な数字等の手段で表示させるようにする。
第１及び第２の透過媒体としては屈折率が１でなければよく（つまり空気と同じ屈折率でなければよい）、一般的には被検レンズの表面形状に追随しやすいゲル体が好ましい。また、測定精度を望むために屈折率は比較的高いほうが好ましく、調査対象レンズの屈折率と同じくらい、又はそれ以上であると更に好ましい。その他、ゲル体以外にガラスやプラスチックから構成される弾性を持たない個体でも構わない。
ゲル体としては均質な屈折率を備えた透明なゲルから構成される必要がある。透明の概念には半透明も含む。材質は特に限定されず、レンズカーブに追随してその表面に密着させることのできる程度に柔らかい材質であればよい。例えば、水溶性高分子（例えば、多価アルコールやポリアクリル酸等）を粘度調整した機能性ハイドロゲル系、分散媒を使用しないセグメント化ポリウレタンゲル（例えば、ポリエステル系ポリウレタン樹脂、ポリカーボネート系ポリウレタン樹脂等）、シリコーンゲル、天然高分子系のゲル（例えば、アルギン酸ナトリウム系ゲル、キトサン系ゲル）等を挙げられる。
第１及び第２のゲル体の形状は被検レンズの表側レンズ面（レンズの物体側表面）及び裏側レンズ面（眼球側表面）に沿って貼着されるような板状を呈することがレンズメータの測定基点に配置した際の安定性の点で好ましい。
ここに、屈折率算出プログラムは少なくとも既知の空気の屈折力及び透過媒体の屈折力をパラメータとして被検レンズの屈折率を得ようとする計算プログラムである。計算プログラムにおける計算方法にはいくつかの方法が想定される。具体的な計算方法については実施例で例を挙げて説明する。
【０００７】
レンズの屈折率の算出においては屈折率の数値の精密さを増す必要からモニターに表示される入力部にレンズメータの固有のデータを入力でき、屈折率算出プログラムの同レンズメータに係るパラメータを選択して前記被検レンズの屈折率を算出するようにすることが好ましい。レンズメータの機種によってレンズに対するレンズメータと相対する位置（距離）が変わることが、度数測定結果に与える影響を補正する必要からである。
同様に算出される屈折率の数値に精密さを増す必要からモニターに表示される入力部に被検レンズの測定条件を入力することができ、屈折率算出プログラムの同被検レンズの測定条件に係るパラメータを選択して前記被検レンズの屈折率を算出するようにすることが好ましい。
ここに、被検レンズの測定条件とは被検レンズの屈折率の算出に影響のある諸条件であり、例えば、温度や湿度や気圧のような測定条件やレンズメータを校正するための基準レンズの測定値、透過媒体の屈折率、被検レンズのカーブ形状、被検レンズの厚み等がそのパラメータとして挙げられる。
上記各項目が入力される入力部は例えば眼鏡販売店において保有する上記屈折率算出プログラムがインストールされたコンピュータに併設されたモニター上に表示されることが想定される。ここでは入力部に入力した内容に基づいて眼鏡販売店自身のコンピュータ内で被検レンズの屈折率が屈折率算出プログラムに従って算出されることとなる。
また、入力部は例えばメーカーのＷＥＢページ上に公開され、眼鏡販売店のコンピュータを操作して通信回線を通じて当該ＷＥＢページにアクセスすることでモニター上に表示させることが想定される。この場合では屈折率算出プログラムはメーカー側のサーバに格納されており、クライアント側となる眼鏡販売店のコンピュータからのＷＥＢページ要求に応じてサーバはクライアント側にＷＥＢページを返信し、更にクライアント側からのデータ送信に基づいてサーバ側ではレンズの屈折率を算出し、算出された値をＷＥＢページ上に公開させる。つまり、この場合では被検レンズに関する屈折率算出のためのデータ入手は眼鏡販売店段階で行い、それらのデータに基づく屈折率算出自体はメーカー側で行うこととなる。この場合に契約したユーザーにだけシステムを使わせる、つまりユーザーを識別してそのようなユーザーのためだけにレンズの屈折率を算出し、算出された値をＷＥＢページ上に公開させてもよい。
【発明の効果】
【０００８】
上記各請求項の発明では、従来測定が困難であった屈折率の不明な所定の被検レンズについて個別にその屈折率を測定することが可能となるとともに、その測定作業は簡単な設備を使用して手軽に低コストで行うことが可能となる。更に、測定した測定値に基づいて被検レンズの屈折率を算出する際にモニター上の所定の入力部に対して入力実行するだけで算出されモニター上にその算出結果が表示されるため、面倒な計算が不要となる。
【発明を実施するための最良の形態】
【０００９】
以下、本発明のレンズの屈折率算出方法を具体化した実施例を図面に基づいて説明する。
図１に示すように、本実施例において使用されるレンズメータ１は筐体３と筐体３の前方に張り出した測定部５から構成されている。筐体３の上部位置にはＣＲＴディスプレイ６が配設されている。筐体３内部にはレンズ度数を測定するための図示しない度数測定光学系が配設されている。度数測定光学系はＬＥＤ等の測定用光源、マークが印刷された透明なターゲットプレート、レンズ、ミラー、プリズム、イメージセンサ及びコントローラ等から構成されている。レンズメータ１の作動原理は、イメージセンサで捉えた被検レンズＬを通したマークの結像と被検レンズＬがない状態でのマークの結像との変異量をコントローラによって解析するものである。本実施例ではこのような度数測定光学系を備えた既知のレンズメータ１を使用する。
測定部５は投光側テーブル７と同投光側テーブル７の上部に配置された受光側テーブル８を備えている。投光側テーブル７の上部には測定基点としてのノーズピース９が配設されている。ノーズピース９の奥側（図１におけるノーズピース９の右方）にはレンズ当て１０が配設されている。両テーブル７，８の間には印点機構１１及びレンズ押さえ用のレバー１２が配設されている。レバー１２の先端下部位置から後方に向かって板バネ１３が延出されている。板バネ１３先端にはパッド１４が装着されている。
このようなレンズメータ１において被検レンズＬをセットする際には被検レンズＬをレンズ当て１０に当接させた状態でノーズピース９上に載置し、レバー１２を操作してパッド１４を下降させノーズピース９との間で落下しないように挟持させる。基本的にはこの状態で被検レンズＬのレンズ度数を測定することが可能であるが、被検レンズＬの表側レンズ面及び裏側レンズ面に凹形ゲルパッド１５及び凸形ゲルパッド２０を密着させることでこれらゲルパッド１５，２０を通した被検レンズＬのレンズ度数を測定することも可能となる。
【００１０】
図２（ａ）及び（ｂ）に示すように、表側レンズ面（レンズの物体側表面）に配置される凹形ゲルパッド１５は平面円形形状をなし、透明な第１のゲル体１６と第１の平面プレートとしてのガラスプレート１７から構成されている。第１のゲル体１６の密着面１８（被検レンズＬと密着する面）は所定の径の真球の内周面を一部切り取ったような凹形状とされ、第１のゲル体１６は中心から周囲に向かって均等に厚みを増すような肉付けとされている。第１のゲル体１６は均質で所定の屈折率を有する。第１のゲル体１６の背面１９（密着面１８の裏面）は平面形状とされている。ガラスプレート１７は透明な平板体であって第１のゲル体１６の背面１９と密着させられている。ガラスプレート１７の度数は０とされている。
図３（ａ）及び（ｂ）に示すように、裏側レンズ面（レンズの眼球側表面）に配置される凸形ゲルパッド２０は平面円形形状をなし、透明な第２のゲル体２１と第２の平面プレートとしてのガラスプレート２２から構成されている。第２のゲル体２１の密着面２３（被検レンズＬと密着する面）は所定の径の真球の外周面を一部切り取ったような凸形状とされ、第２のゲル体２１は中心から周囲に向かって均等に厚みを減らすような肉付けとされている。第２のゲル体２１の屈折率は第１のゲル体１６と同じである。第２のゲル体２１の背面２４（密着面２３の裏面）は平面形状とされている。ガラスプレート２２は上記凹形ゲルパッド１５のガラスプレート１７と同じものである。本実施例における第１及び第２のゲル体１６，２１は分散媒を使用していない同じ材質のポリエステル系のセグメント化ポリウレタンゲルを使用した。
【００１１】
次にこのようなレンズメータ１を使用したレンズの屈折率測定の具体的方法について説明する。
まず、図５に示すように被検レンズＬを直接レンズメータ１のノーズピース９上に載置しパッド１４を下降させて挟持する。この状態で通常の操作に従ってまず空気中での被検レンズＬのレンズ度数を測定する。このレンズ度数を第１のレンズ度数とする。
ついで、図４に示すように被検レンズＬの表裏レンズ面にそれぞれ凹形ゲルパッド１５と凸形ゲルパッド２０を対抗配置する。第１及び第２のゲル体１６，２１の密着面１８，２３はそれぞれ被検レンズＬの表裏レンズ面のほぼ湾曲に沿って無理なく密着させられる。尚、第１及び第２のゲル体１６，２１は粘着性もあるため一旦密着させると積極的に剥がさない限りはレンズ面に貼着された状態に保持される。凹形ゲルパッド１５と凸形ゲルパッド２０を配置した状態で被検レンズＬが真ん中に配置されたガラスプレート１７、第１のゲル体１６、被検レンズＬ、第２のゲル体２１、ガラスプレート２２の密着した（途中に空気層の入らない）５層構造が形成される。
このように凹形ゲルパッド１５と凸形ゲルパッド２０を配置した被検レンズＬを図６に示すようにレンズメータ１のノーズピース９上に載置しパッド１４を下降させて挟持する。このとき両ガラスプレート１７，２２は互いに平行でかつノーズピース９中央から上方に向かって投光される光束Ｅに対してなるべく直交するように配置する。この状態で通常の操作に従って５層構造の被検レンズＬのレンズ度数を測定する。このレンズ度数を第２のレンズ度数とする。
【００１２】
次にこのようなレンズメータ１を使用して得られた測定値に基づいて被検レンズの屈折率を算出する算出工程の具体例について説明する。本実施例では主として眼鏡販売店で測定した値をインターネットを介してメーカー側のホームページにアクセスすることで屈折率を算出する場合を想定している。
図７に示すように、インターネットは複数のＬＡＮ（Local Area Network）３０が電話回線等の通信回線を通じて大規模に接続された通信網である。
眼鏡販売店は端末コンピュータ３１を備えている。端末コンピュータ３１はインターネットに接続されたＷＷＷ(World Wide Web)クライアントとされる。端末コンピュータ３１は、ユーザーの入力に応じてプログラム実行可能な通常のハードウエア構成を有する情報処理装置であり、その内蔵ハードディスクには、ＷＷＷを利用するために必要なブラウザや、ＯＳ(Operation System)等の各種プログラムがあらかじめインストールされている。各プログラムの制御は端末コンピュータ３１内のＣＰＵ（Central Processing Unit:中央制御装置）が実行する。端末コンピュータ３１には入力装置３２(マウス、キーボード等)、及びモニター３３が接続されている。
図７示すように、メーカー側はインターネットに接続されたサーバ３５を備えている。サーバ３５は、外部からの指示に応じて、メモリ上にプログラムをロードし、それを実行することができる通常のハードウエア構成を有する情報処理装置であり、その内蔵ハードディスクには、ブラウザを介してリクエストを受け付けると利用可能なファイルをブラウザに与えるｈｔｔｐｄ(Hyper Text Transfer Protocol Daemon)、ｈｔｔｐｄからのデータを処理するＣＧＩ(Common Gateway Interface)スクリプト、ＣＧＩスクリプトによって起動される屈折率算出プログラム、ＯＳ、等のソフトウエアがインストールされている。各プログラムの制御はサーバ３５内のＣＰＵ（中央制御装置）が実行する。
【００１３】
眼鏡販売店側では端末コンピュータ３１を操作してモニター３３上でブラウザを起動させメーカー側の所定のサイトのＵＲＬ(Uniform Resource Locators)を入力し、メーカー側のＷＥＢページを呼び出しモニター３３上に表示させる。
図８に示すように、メーカー側のＷＥＢページには屈折率を算出するためのデータを入力する入力フォーム３７が用意されている。
入力フォーム３７には空気中でのレンズ度数を入力する入力スペース３８、ゲル体を通したレンズ度数を入力するスペース３９、被検レンズの中心厚を入力する入力スペース４０、被検レンズのレンズ表面のカーブを入力する入力スペース４１、レンズメータの種類を入力する入力スペース４２、ゲルの種類を入力する入力スペース４３が設けられている。本実施例では測定されたレンズ度数を入力する入力スペース３８，３９が必須項目とされ、デフォルト状態ではブランク状態とされている。
被検レンズの中心厚及びレンズ表面のカーブを入力する入力スペース４０，４１は空気中でのレンズ度数の入力に伴って当該レンズ度数についての普遍的な仮値が設定されるようになっている。レンズメータの種類を入力する入力スペース４２、ゲルの種類を入力する入力スペース４３はデフォルト状態で所定の数値や種類が表示されている。レンズメータの種類及びゲルの種類の変更については入力スペース４２，４３に併設されたアイコン４４をクリックすることで隠されていた市販のレンズメータ及びゲルの種類の一覧表が表示されるため、それらから対応するものをチェックする。
眼鏡販売店側では入力装置３２を使って測定したレンズ度数、また必要な場合には被検レンズの中心厚やレンズ表面のカーブを入力するとともに、レンズメータの種類、ゲルの種類をチェックする。
眼鏡販売店は入力スペース３８〜４３のすべての項目が入力された状態で送信ボタン４５をクリックする。送信ボタン４５のクリックに基づいて入力データがサーバ３５側に送信される。サーバ３５ではこの送信を受けてＣＧＩスクリプトに屈折率算出プログラムを実行させる。サーバ３５はこの実行された結果を端末コンピュータ３１側に知らせるため図９に示すような被験レンズの算出された屈折率が表示された表示フォーム４６を送信する。
【００１４】
ＣＧＩスクリプトによって実行される屈折率算出プログラムとして本実施例ではレンズ素材毎に実際に多くの度数のレンズの屈折力を測定し、その結果をもとに空気中でのレンズ度数（以下ゲルなし度数とする）Ｄｖ１とゲル体１６，２１を通したレンズ度数（以下ゲル有り度数とする）Ｄｖ２の相関関係を説明する素材別の近似的な二次曲線又は直線を作成し、その二次曲線又は直線に基づいて被検レンズの屈折率を算出するようにしている。より詳しくは次のような方法で実行される。
まず、本実施例ではＡ〜Ｇの７種類の屈折率の違う素材レンズ各々についてゲルなし度数Ｄｖ１とゲル有り度数Ｄｖ２を実際に測定する。表１はこのようにして測定した値のテーブル４１である。このテーブル４１の値をプロットし、そのプロットに基づいた近似的な軌跡を作成することで図１０のグラフが得られる。グラフは横軸をゲルなし度数Ｘとし、縦軸をゲル有り度数Ｙとして表示されている。表２はこのような素材毎のデータを近似するグラフとして表示するための係数ａ，ｂ，ｃの表示された第２のテーブル４２である。これらの係数ａ，ｂ，ｃは以下のような最小二乗法による計算によって求められる。
【００１５】
得られた度数データとしてゲルなし度数及びゲル有り度数は（Ｘ、Ｙ）の組である。データがｎ組あるとすると、その要素は（Ｘ１、Ｙ１）・・・（Ｘｉ、Ｙｉ）・・・（Ｘｎ、Ｙｎ）と書くことができる。これらの要素に基づいて差分の二乗したものを合計しその値が最小となるような係数ａ，ｂ，ｃを決定するというものである。つまり、
曲線の式をＹ  ＝  ａＸ２（２乗）＋ｂＸ＋ｃと置くと、
Σ（ａＸｉ２（２乗）＋ｂＸｉ＋ｃ−Ｙｉ）２（２乗）  
を最小にするような係数ａｂｃを決定する。尚、ここでは要素が多い場合として二次曲線となる場合を例に取って説明するが、直線となる場合も計算は簡単になるが基本的な考えは同様である。
ここに、
Σ（ａＸｉ2＋ｂＸｉ＋ｃ−Ｙｉ）2  を展開すると、
Σ（ａ2Ｘｉ4＋ｂ2Ｘｉ2＋ｃ2＋Ｙｉ2＋２ａｂＸｉ3＋２ａｃＸｉ2＋２ｂｃＸｉ
−２ａＸｉ2Ｙｉ−２ｂＸｉＹｉ−２ｃＹｉ）
＝ａ2ΣＸｉ4＋ｂ2ΣＸｉ2＋ｎｃ2＋ΣＹｉ2＋２ａｂΣＸｉ3＋２ａｃΣＸｉ2＋２ｂｃΣＸｉ−２ａΣＸｉ2Ｙｉ−２ｂΣＸｉＹｉ−２ｃΣＹｉ
となる。
【００１６】
この式は係数ａ，ｂ，ｃそれぞれについてみると、２次の係数が正の２次式になっている。したがって、係数ａ，ｂ，ｃそれぞれについて極小値をとり、それは最小値でもある。ａについて最小になる条件は、ａに関して偏微分した式の値が０となることである。すなわち、
２ａΣＸｉ4＋２ｂΣＸｉ3＋２ｃΣＸｉ2−２ΣＸｉ2Ｙｉ＝０  である。
ここで、ａを含まない項は定数項と見なせるので無くなった。両辺を２で割ると、
ａΣＸｉ4＋ｂΣＸｉ3＋ｃΣＸｉ2−ΣＸｉ2Ｙｉ＝０  となる。同様にｂとｃに関しても計算して
ａΣＸｉ3＋ｂΣＸｉ2＋ｃΣＸｉ−ΣＸｉ Ｙｉ＝０  と
ａΣＸｉ2＋ｂΣＸｉ ＋ｎｃ   −ΣＹｉ   ＝０  を得る。
この３式は係数ａ，ｂ，ｃを変数とした三元連立一次方程式なので、これを解いて係数ａ，ｂ，ｃを求めることができる。
【００１７】
第１のテーブル４１と第２のテーブル４２は相互に関連づけられてサーバ３５のメモリに記憶されている。尚、この第１のテーブル４１ではレンズメータの種類はａ、レンズの厚さはｍ、レンズのカーブはｔの場合を示しているが、この第１のテーブル４１のような測定はレンズメータの種類（例えば６種類）、レンズの厚さの種類（例えば１０種類）、レンズのカーブの種類（例えば５種類）のパラメータに応じてこれらの種類を掛け合わした数だけ用意されることが好ましい。
【００１８】
【表１】
2008039577.tif 000003
【００１９】
【表２】
2008039577.tif 000004
【００２０】
次に、ＣＧＩスクリプトによって実行されるこのような屈折率算出プログラムの実行ルーチンについて図１１に基づいて説明する。
ステップＳ１においてサーバ３５のＣＰＵは端末コンピュータ３１から送信されたデータに基づいて所定のテーブル（例えば上記第１のテーブル４１）を選択する。テーブルはレンズメータの種類、レンズの厚さの種類、レンズのカーブの種類のそれぞれのパラメータによって決定されることとなる（テーブル決定工程）。
次いでステップＳ２においてＣＰＵは送信されたデータのうち、ゲルなし度数Ｄｖ１とゲル有り度数Ｄｖ２に基づいて当該屈折率がどの屈折率グラフ（曲線又は直線）間に存在するのかを判断する（位置決定工程）。ここではまず、Ａ〜ＧのすべてのグラフについてＸ側にゲルなし度数Ｄｖ１を代入し、得られたＹの値とゲル有り度数Ｄｖ２とを比較し、その差の絶対値が最も小さな２つの屈折率グラフＬａ，Ｌｂを選択する。式で表現すると次のようになる。
【００２１】
Ｙ  ＝  ｆ（Ｘ）  ：ここにＤｖ１を代入
Ｙ  ＝  ｆ（Ｄｖ１）
ｖ０  ＝  ｜  ｆ（Ｄｖ１）−Ｄｖ２  ｜
Min（Ｌａ，Ｌｂ）
【００２２】
つまり、被験レンズの屈折率はそれら２つの屈折率グラフＬａ，Ｌｂ間に存在することがわかる。
次いで、ステップＳ３においてＣＰＵは決定された２つの屈折率グラフＬａ，Ｌｂの係数ａ，ｂ，ｃを関連づけられた第２のテーブル４２から取り出し、
Ｙ  ＝  ａ（Ｘ）２（二乗：後ほど修正）＋ｂＸ＋ｃ又は
Ｙ  ＝  ｂＸ＋ｃ
に代入するとともに、Ｘ  ＝  Ｄｖ１を代入してＹの値を求める。
次いで、２つの屈折率グラフＬａ，Ｌｂについて求めたＹに基づいて内挿補間で被験レンズの屈折率を求め、ルーチンは一旦終了する（近似屈折率グラフの曲線又は直線に基づく屈折率算出工程）。
【００２３】
ステップＳ３における具体的な算出方法は例えば以下のように行われる。
あるレンズの度数測定結果がゲル無し度数Ｄｖ１＋２．９９Ｄ、ゲル有り度数Ｄｖ２＋０．３６Ｄであったとする。このポイントは図１０のグラフに示すようにＡ素材とＢ素材のグラフの間（つまり度数１．５０と度数１．６０の間）に存在している。
ここで、
Ａ素材側：  Ｙ＝ 0.00040・（Ｘ）2＋0.05090・Ｘ−0.01890  
ここに、Ｘ＝Ｄｖ１＝2.99を代入するとＹ＝0.137が得られる。
Ｂ素材側：  Ｙ＝-0.00090・（Ｘ）2＋0.21320・Ｘ−0.00490  
そして、Ｘ＝Ｄｖ１＝2.99を代入してＹ＝0.625が得られる。
この段階で内挿補間によって当該被験レンズの屈折率を算出する。つまり、
この２つのＹの値を内挿すると、
1.50+(1.60-1.50)・(0.36-0.137)/(0.625-0.137)＝1.546  
として被験レンズの屈折率は１．５４６と算出される。
【００２４】
このように構成することで本実施例では次のような効果が奏される。
（１）眼鏡販売店において必ず保有しているレンズメータ１を使用して所望のレンズの屈折率をその場で測定できることとなり、従来困難であった眼鏡販売店でのレンズの屈折率の確認が可能となる。また、屈折率測定のための特別な装置を特に必要としないのでコストも負担にはならない。
（２）眼鏡販売店側では単にレンズ度数等の測定をするだけで、実際の算出は自ら行わなくともよいため、眼鏡販売店では不慣れな計算作業から解放されることとなり眼鏡販売店側の負担が軽減されることとなる。
（３）ＷＥＢ上でデータのやり取りを行うため、例えば屈折率算出プログラムの更新についてはサーバ５側で作業を行うだけでよく、屈折率算出プログラムのメンテナンスが非常に楽にできることとなる。
（４）上記のようにメーカー側ではその屈折率算出プログラムとして前もって実際に測定したゲル無し度数及びゲル有り度数に基づいてレンズの公称の屈折率がわかっているレンズ素材の近似的な二次曲線又は直線を作成し、その二次曲線又は直線に基づいて被検レンズの屈折率を算出するようにしているため、眼鏡販売店側の測定条件と同等の測定条件を想定して精密な屈折率を得ることができる。例えば、上記のように眼鏡販売店ではゲル有り度数を測定する際には凹形ゲルパッド１５と凸形ゲルパッド２０はそれぞれガラスプレート２２を有しているが、ゲル無し度数の測定にはガラスプレート２２を使用しないため、被験レンズのレンズメータ１に相対する位置が変わってしまうこととなり、この測定位置の違いが本来誤差を発生させるものであるが、このようにメーカー側でもゲル無し度数の測定にはガラスプレート２２を使用せずにレンズメータ１を直接レンズに当てて（図５のように）測定するのであれば格段距離の影響は受けないこととなる。
【００２５】
尚、この発明は、次のように変更して具体化することも可能である。
・上記実施例における屈折率算出プログラムでは各レンズ素材の屈折力に対する近似的なグラフを用いて被検レンズの屈折力を算出する一例を示したが、上記以外の算出方法であっても構わない。以下にそれらの説明をする。
（１）簡便な算出方法
まず、レンズの厚さをまったく考慮しない方法（式２）を挙げる。
式１ではレンズメータによって得られた空気中における被検レンズ単独のレンズ度数と、空気中における両ゲル体に挟まれた被検レンズのレンズ度数によって既知の空気の屈折力とゲル体の屈折力のみをパラメータとして被検レンズの屈折率を得ようとするものである。この方法では算出される屈折率の精度は劣るものの、パラメータが少なく入力の手間を省くことができる。
式１は次のように導かれる。まず、
Ｄｖ１  ＝  （Ｎ−ｎ１）／Ｒ１  −（Ｎ−ｎ１）／Ｒ２
Ｄｖ２  ＝  （Ｎ−ｎ２）／Ｒ１  −（Ｎ−ｎ２）／Ｒ２
とおき、両式からＲ１及びＲ２をキャンセルする。
Ｎ＝（ｎ２×Ｄｖ１−ｎ１×Ｄｖ２）÷（Ｄｖ１−Ｄｖ２）・・・式２
Ｎ：被検レンズの屈折率、  Ｄｖ１：ゲル無し度数（第１のレンズ度数）、Ｄｖ２：ゲル有り度数（第２のレンズ度数）、ｎ１：空気の屈折率（＝１）、ｎ２：ゲル体の屈折率、Ｒ１：レンズ表面の曲率半径（ｍ）、Ｒ２：レンズ裏面の曲率半径（ｍ）
【００２６】
（２）ゲル体の屈折率（ｎ２）をパラメータとする方法
式２に代入するゲル体の屈折率を意図的に変更することで、機種によるレンズ度数測定装置の持つ固有の機械誤差やレンズの厚さを無視することによる誤差を極力小さくする方法がある。これはゲル体の屈折率をパラメータとして導入するものである。
具体的には例えば表３に示すようにレンズ度数測定装置としてのレンズメータと屈折率が明確な素材でできたレンズについて、それぞれ複数種類のレンズのゲル無し度数Ｄｖ１及びゲル有り度数Ｄｖ２を測定し上記式２に基づいて屈折率を算出する。ところで、ゲル体の屈折率をどのように設定するかによって、算出された被験レンズの屈折率の真値からのズレ具合に差が出る。
従って、ここではなるべくズレが小さくなるよう数値をゲル体の屈折率として計算に用いることが好ましい。算出された屈折率の真値からのズレは、素材レンズの公称屈折率から測定平均値を差し引いた値に基づいて残差の二乗和を求めることによってどの程度の誤差があるか、つまり真値に近いかどうかを判定することができる。
より具体的には例えば表３に示すように実際に被検レンズを測定した際にレンズメータとしてＡ機種とＢ機種を使用した両方の結果において、屈折率算出ズレを最小にするには、式２に代入するゲル体の屈折率を１．４７４とするとよく、そのとき残差の二乗和は０．００００１４となる。
レンズメータとしてＡ機種を用いた測定結果のみについて言えば、ゲル体の屈折率を１．４７３にすると残差の二乗和は最小となる。また、レンズメータとしてＢ機種を用いた測定結果のみについて言えば、ゲル体の屈折率を１．４７５にすると残差の二乗和は最小となる。したがって、ユーザー側での測定に用いたレンズメータの機種の情報を得られた場合は、それに応じて最適なゲル体の屈折率を用いて計算することが好ましい。また、ユーザー側で測定に用いたレンズメータの機種の情報がメーカー側で不明な場合には例えばＷＥＢの画面等を経由して計算に使用されたゲル体ついてユーザー側に報告することが好ましい。
【００２７】
【表３】
2008039577.tif 000005
【００２８】
（３）レンズの厚さを考慮した方法
上記ゲル体の屈折率（ｎ２）をパラメータとする場合では誤差はかなり減るものの、表３から分かるようにサンプル毎で得られる屈折率にはばらつきがある。それは主としてレンズの厚さに起因するものである。つまり、各レンズの屈折率はレンズの厚さ条件で区々であるということになる。そのため、式３ではレンズの厚さをパラメータとして入力してより精密なレンズの屈折率を算出する方法を示す。
上記式２ではＤｖ１及びＤｖ２について、
Ｄｖ１  ＝  （Ｎ−ｎ１）／Ｒ１  −（Ｎ−ｎ１）／Ｒ２
Ｄｖ２  ＝  （Ｎ−ｎ２）／Ｒ１  −（Ｎ−ｎ２）／Ｒ２
とおいた。ここに、
（Ｎ−ｎ１）／Ｒ１  ＝  Ｃ１１・・・Ｄｖ１側のレンズ表面の面屈折力
（Ｎ−ｎ１）／Ｒ２  ＝  Ｃ２１・・・Ｄｖ１側のレンズ表面の面屈折力
（Ｎ−ｎ２）／Ｒ１  ＝  Ｃ１２・・・Ｄｖ２側のレンズ表面の面屈折力
（Ｎ−ｎ２）／Ｒ２  ＝  Ｃ２２・・・Ｄｖ２側のレンズ表面の面屈折力
である。
ここでは新たにレンズの中心厚ＣＴ（ｍ）をパラメータとした。
Ｄｖ１  ＝  Ｃ１１／（１−Ｃ１１・ＣＴ／Ｎ）−Ｃ２１  ＝  
((Ｎ−ｎ１)／Ｒ１)／(１−((Ｎ−ｎ１)／Ｒ１）・ＣＴ／Ｎ)−((Ｎ−ｎ１)／Ｒ２)・・・式３−ａ
Ｄｖ２  ＝  Ｃ１２／（１−Ｃ１２・ＣＴ／Ｎ）−Ｃ２２  ＝  
((Ｎ−ｎ２)／Ｒ１)／(１−((Ｎ−ｎ２)／Ｒ１）・ＣＴ／Ｎ)−((Ｎ−ｎ２)／Ｒ２)・・・式３−ｂ
これら式３−ａ及び式３−ｂだけではＲ１、Ｒ２及びＣＴは消去できない。そのため、これらＲ１、Ｒ２の少なくとも一方及びＣＴを測定することでＤｖ１及びＤｖ２を算出し、もって式２によってレンズの屈折率を算出することが可能である。Ｒ１、Ｒ２の少なくとも一方としているのはいずれかがわかれば屈折率はＣＴとの関係で計算して算出できるからである。
【００２９】
しかし、実際にＲ１、Ｒ２の少なくとも一方及びＣＴを測定することは測定を実際に行うのが眼鏡販売店である場合には非常な作業負担となる。そのため、Ｒ１、Ｒ２の少なくとも一方及びＣＴについてレンズ度数に対応した妥当な仮のＲ１、Ｒ２の少なくとも一方及びＣＴを設定することが好ましい。
そのためここではそのために２段階に計算を行うようにしている。
まず、上記式２に基づいて当該被検レンズのおよその屈折率（Ｎ）を求める。そして表４のようなテーブルに基づいて屈折率毎の当該レンズ度数の一般的なＲ１及びＣＴを決定する。 尚、この表４ではレンズ度数の間隔を２．００刻みとしたがその他のレンズ度数の間隔を設定することは自由である。
【００３０】
次いで、このように設定されたＲ１及びＣＴを上記式２−ａに代入してＲ２を算出する。Ｒ２の算出の式は上記式２−ａを次のように変形して得られる。
Ｒ２  ＝  (Ｎ−ｎ１)／（((Ｎ−ｎ１)／Ｒ１)／(１−((Ｎ−ｎ１)／Ｒ１）・ＣＴ／Ｎ)−Ｄv１）・・・式３−ｃ
この時、式３−ｃに代入するＮについては上記式２で計算した仮の値を使用しておく。そして、Ｒ１及びＲ２を上記式２−ｂに代入する。この時、式３−ｂに代入するＮについては上記式２で仮に計算した値を使用し、ゲル体の屈折率（ｎ２）は上記のように別途屈折率を得る。
【００３１】
【表４】
2008039577.tif 000006
【００３２】
ここで、上記式３−ｂを再考すると、結局Ｎ以外の変数についてはすべて実際の数値に置き換えることが可能となる。つまり、上記式３−ｂは
ａＮ2＋ｂＮ＋ｃというＮの二次方程式の形式にすることが可能となる。
この二次方程式からＮの解を求めることができる。しかし、この一連の計算式は式２から得た仮のＮを使用しているので、ここでより真値に近い新たなＮを式２−ｃに代入してＲ２を更新する。そして、更新したＲ２を式３−ｂに代入して更にＮを更新する。このようにしてＲ２とＮを収束させていくようにする。
【００３３】
・第１及び第２のゲル体１６，２１の厚みや形状は適宜変更可能である。
・レンズメータ１の形状、種類は上記実施例に限定されるものではない。測定基点も上記に限定されるものではない。
・ガラスプレート１７，２２の材質はガラス以外であっても構わない。
・レンズメータでゲル無し状態で測定する際にガラスプレート１７，２２を介しても構わない。
上記実施例ではゲルなし度数Ｄｖ１とゲル有り度数Ｄｖ２の相関関係を説明する素材別の近似的な二次曲線又は直線を作成し、その二次曲線又は直線に基づいて被検レンズの屈折率を算出するようにしていた。直線としたのはデータが少ない場合に近似的に直線とみなしても得られる屈折率に大きな影響がないからである。また、近似的な曲線が式で表すことができれば二次曲線限定されるものではない。
・入力フォーム４１に入力するパラメータは上記以外でも構わない。
・サーバ３５側で登録した眼鏡販売店を認識して特定の端末コンピュータ３１に対してのみデータを受け付けるようなシステムでもよい。つまり、契約した相手にだけシステムを使わせるようにしてもよい。
・その他、本発明の趣旨を逸脱しない態様で実施することは自由である。
【図面の簡単な説明】
【００３４】
【図１】本発明の実施例を説明するレンズメータに被検レンズをセットした状態を説明する側面図。
【図２】（ａ）は凹形ゲルパッドの斜視図、（ｂ）は同じ凹形ゲルパッドの横断面図。
【図３】（ａ）は凸形ゲルパッドの斜視図、（ｂ）は同じ凸形ゲルパッドの横断面図。
【図４】被検レンズの表裏面に凹形ゲルパッド及び凸形ゲルパッドを貼着した状態における断面図。
【図５】第１のレンズ度数を測定する際にレンズメータに被検レンズをセットした状態を説明する部分拡大図。
【図６】第２のレンズ度数を測定する際にレンズメータに被検レンズをセットした状態を説明する部分拡大図。
【図７】端末コンピュータとサーバがインターネット内に組み込まれていることを説明する概念図。
【図８】ブラウザによってモニターに表示されるレンズの屈折率の算出のための入力フォームの概念図。
【図９】ブラウザによってモニターに表示されるレンズの屈折率を表示した表示フォームの概念図。
【図１０】所定の条件下でのレンズ素材ごとのレンズ屈折率を示すグラフ。
【図１１】ＣＧＩスクリプトによって実行されるこのような屈折率算出プログラムの実行ルーチンを説明するフローチャート。
【符号の説明】
【００３５】
１…レンズメータ、９…測定基点としてのノーズピース、１６…第１のゲル体、１７…第１の平面プレートとしてのガラスプレート、２１…第２のゲル体、２２…第２の平面プレートとしてのガラスプレート、３３…モニター、３８〜４３…入力部としての入力スペース、３５…被検レンズの屈折率を算出し、モニター上に表示させるサーバ。
【図１】
2008039577.tif 000007
【図２】
2008039577.tif 000008
【図３】
2008039577.tif 000009
【図４】
2008039577.tif 000010
【図５】
2008039577.tif 000011
【図６】
2008039577.tif 000012
【図７】
2008039577.tif 000013
【図８】
2008039577.tif 000014
【図９】
2008039577.tif 000015
【図１０】
2008039577.tif 000016
【図１１】
2008039577.tif 000017
【手続補正書】
【提出日】平成18年8月16日(2006.8.16)
【手続補正１】
【補正対象書類名】特許請求の範囲
【補正対象項目名】全文
【補正方法】変更
【補正の内容】
【特許請求の範囲】
【請求項１】
被検レンズのレンズ度数を測定するレンズ度数測定装置を使用したレンズの屈折率算出方法であって、
前記被検レンズを前記レンズ度数測定装置の第１の測定基点に配置し、同レンズ度数測定装置によって空気中における同被検レンズの第１のレンズ度数を測定する第１のレンズ度数測定工程と、
表側及び裏側レンズ面に屈折率が１ではない透明な第１及び第２の透過媒体を密着させた同被検レンズを前記レンズ度数測定装置の第２の測定基点に配置し、同レンズ度数測定装置によって空気中における同両透過媒体に挟まれた同被検レンズの第２のレンズ度数を測定する第２のレンズ度数測定工程とを備えるとともに、
モニター上に表示される所定の入力部に対して前記第１及び第２のレンズ度数の値の入力を実行するレンズ度数入力工程と、
前記入力された値を屈折率算出プログラムに適用することで同被検レンズの屈折率を算出する屈折率算出工程と、
前記屈折率算出工程において算出された屈折率を前記モニター上に表示させる屈折率表示工程とを備えることを特徴とするレンズの屈折率算出方法。
【請求項２】
前記モニター画面には前記レンズメータ毎の固有データを入力するための入力部が表示され、前記屈折率算出工程において同入力部に同レンズメータの固有データを入力することで各レンズメータ毎に設定された前記屈折率算出プログラムの同レンズメータに係るパラメータを選択して前記被検レンズの屈折率を算出することを特徴とする請求項１に記載のレンズの屈折率算出方法。
【請求項３】
前記モニター画面には前記被検レンズの測定条件を入力するための入力部が表示され、前記屈折率算出工程において同入力部の入力条件に応じて設定された前記屈折率算出プログラムの同被検レンズの測定条件に係るパラメータを選択して前記被検レンズの屈折率を算出することを特徴とする請求項１又は２に記載のレンズの屈折率算出方法。
【請求項４】
前記所定の入力部はＷＥＢページ上に公開され、前記第１及び第２のレンズ度数の値は通信回線を通じて同ＷＥＢページ上の入力部に入力されるとともに、前記屈折率算出工程において算出された屈折率は同ＷＥＢページ上に表示されることを特徴とする請求項１〜３のいずれかに記載のレンズの屈折率算出方法。
【請求項５】
前記レンズメータのデータを入力するための入力部はＷＥＢページ上に公開され、同入力部への同レンズメータの固有データは通信回線を通じて同ＷＥＢページ上で入力されることを特徴とする請求項４に記載のレンズの屈折率算出方法。
【請求項６】
前記被検レンズの測定条件を入力するための入力部はＷＥＢページ上に公開され、同入力部への測定条件の入力は通信回線を通じて同ＷＥＢページ上で入力されることを特徴とする請求項４又は５に記載のレンズの屈折率算出方法。